(57)【要約】【課題】粒状物、粉末などを収容し、開封が容易にでき、バージン性を有し、かつ、開口部、特にカートン本体の前板の上縁部の補強ができる蓋付きカートンを提供することにある。【解決手段】前板、両側板、後板、底板からなる上方を開放した開口部を有する略直方体状のカートン本体と、少なくとも蓋前板、蓋両側板、蓋天板からなる下方を開放した蓋体とを連結して開閉自在とした蓋付きカートンであって、蓋体の蓋前板に折れ線を介して蓋折り返し板を連設し、該蓋折り返し板を蓋前板の裏面側に折り返し、蓋折り返し板の少なくとも一部をカートン本体の前板の上縁部に貼り合わせ、カートン本体に蓋体を被せて、開封時に、蓋折り返し板の少なくとも一部を前板に貼り合わせた状態で残して、開封することが可能な形状としたことを特徴とする蓋付きカートンである。【選択図】図２
2004250053.tif 000002
【特許請求の範囲】
【請求項１】
前板、両側板、後板、底板からなる上方を開放した開口部を有する略直方体状のカートン本体と、少なくとも蓋前板、蓋両側板、蓋天板からなる下方を開放した蓋体とを連結して開閉自在とした蓋付きカートンであって、
前記蓋体の前記蓋前板に折れ線を介して蓋折り返し板を連設し、該蓋折り返し板を前記蓋前板の裏面側に折り返し、前記蓋折り返し板の少なくとも一部を前記カートン本体の前記前板の上縁部に貼り合わせ、前記カートン本体に前記蓋体を被せて、開封時に、前記蓋折り返し板の少なくとも一部を前記前板に貼り合わせた状態で残して、開封することが可能な形状としたことを特徴とする蓋付きカートン。
【請求項２】
前記折れ線を切り取り可能な折れ線とし、開封時に、前記蓋折り返し板を前記前板に貼り合わせた状態で残して、前記蓋前板を前記蓋折り返し板から引き離すことが可能な形状としたことを特徴とする請求項１に記載の蓋付きカートン。
【請求項３】
前記折り返し板に前記折れ線と平行に切断線を設け、前記蓋前板の裏面側に折り返した前記蓋折り返し板の前記切断線より内側部分を前記蓋前板の裏面に貼り合わせ、前記蓋折り返し板の前記切断線より外側部分を前記カートン本体の前記前板の上縁部に貼り合わせ、開封時に、前記外側部分を前記前板に貼り合わせた状態で残して、前記蓋折り返し板の前記内側部分を前記切断線により前記外側部分から引き離すことが可能な形状としたことを特徴とする請求項１に記載の蓋付きカートン。
【請求項４】
前記切断線の中央部分を罫線部とし、該罫線部の両側の部分の切れ目部とし、前記罫線部から内側（蓋前板側）に切れ線により係止片を設けたことを特徴とする請求項３に記載の蓋付きカートン。
【請求項５】
前記折れ線の中央部を切れ目部とし、前記折り返し板に前記折れ線と平行に切断線を設け、該切断線の中央部分を罫線部とし、該罫線部の両側の部分を切れ目部とし、それぞれの切れ目部の内側の端部から斜め内側方向に前記罫線部分と分岐して斜め切断線を前記折れ線まで延設し、前記折れ線の前記切れ目部の両端と繋げており、前記蓋前板の裏面側に折り返した前記蓋折り返し板の前記切断線より外側部分を前記カートン本体の前記前板の上縁部に貼り合わせ、開封時に、前記前記蓋折り返し板の前記切断線および前記斜め切断線より外側部分を前記前板に貼り合わせた状態で残して、前記蓋折り返し板の前記切断線および前記斜め切断線より内側部分を前記外側部分から引き離すことが可能な形状としたことを特徴とする請求項１に記載の蓋付きカートン。
【請求項６】
前記蓋後板にヒンジ用折れ線を介して連結板を連接し、該連接板を前記カートン本体の後板の上縁部に貼り合わせることによりカートン本体と蓋体とを連結し一体とし、前記ヒンジ用折れ線をヒンジとして開閉自在としたことを特徴とする請求項１乃至５のいずれかに記載の蓋付きカートン。
【発明の詳細な説明】
【０００１】
【発明の属する技術分野】
本発明は、粒状物、粉末などを収容する、上方を開放した開口部を有する略直方体状のカートン本体と、下方を開放した蓋体とを連結して開閉自在とした蓋付きカートンに関し、詳しくは、バージン性を有するとともに、開口部を強化した蓋付きカートンに関するものである。
【０００２】
【従来の技術】
従来から、粒状物、粉末などを収容する蓋付きカートンとしては、図１６に示すような、開口部を強化するために、それぞれの上辺に連設した折込み片をそれぞれの裏面の上縁部に折り返して貼られた前板、両側板、後板、そして底板からなる上方を開放した略直方体状のカートン本体と、蓋体前板、蓋体両側板、蓋体後板、蓋体天板、そして蓋体後板下辺に折れ線を介して連設した連結片からなる下方を開放した偏平な略直方体状の蓋体とを、カートン本体の後板上部に蓋体の連結片を貼着して連結した蓋付きカートンが一般に用いられている。また、開封後の再封性を有する蓋付きカートンとしては、種々の形状が提案されている（例えば、特許文献１参照。）。
【０００３】
【特許文献１】
特開平９−７７１０６号公報
【０００４】
【発明が解決しようとする課題】
しかしながら、図１５に示す従来の蓋付きカートンについては、開閉式ではあるが、バージン性がなく、再封性も不充分であり、また、他の例の従来の蓋付きカートンについても、再封性は有するがバージン性がなく、いずれの場合も、バージン性を持たせるためにシール貼り等をする必要があるという問題がある。また、開口部を強化するために、それぞれの上辺に連設した折り込み片をそれぞれの裏面の上縁部に折り返して貼り合わせた形状としているが、特にカートン本体の前板の上縁部を強化することが、内容物を充填した蓋付きカートンを保持した時に開口部の変形を少なくするために重要であり、そのためには全体として厚い板紙を使用する必要があり、コストが高くなるという問題がある。
【０００５】
本発明は、粒状物、粉末などを収容し、開封が容易にでき、バージン性を有し、かつ、開口部、特にカートン本体の前板の上縁部の補強ができる蓋付きカートンを提供することを目的とするものである。
【０００６】
【課題を解決するための手段】
上記の課題を解決するための請求項１に記載の発明は、前板、両側板、後板、底板からなる上方を開放した開口部を有する略直方体状のカートン本体と、少なくとも蓋前板、蓋両側板、蓋天板からなる下方を開放した蓋体とを連結して開閉自在とした蓋付きカートンであって、前記蓋体の前記蓋前板に折れ線を介して蓋折り返し板を連設し、該蓋折り返し板を前記蓋前板の裏面側に折り返し、前記蓋折り返し板の少なくとも一部を前記カートン本体の前記前板の上縁部に貼り合わせ、前記カートン本体に前記蓋体を被せて、開封時に、前記蓋折り返し板の少なくとも一部を前記前板に貼り合わせた状態で残して、開封することが可能な形状としたことを特徴とする蓋付きカートンである。
【０００７】
以上のような構成にすることにより、粒状物、粉末などを収容し、前板、両側板、後板、底板からなる上方を開放した開口部を有する略直方体状のカートン本体と、少なくとも蓋前板、蓋両側板、蓋天板からなる下方を開放した蓋体とを連結して開閉自在とした蓋付きカートンであって、バージン性を有し、カートン本体から蓋体を容易に開封することができ、かつ、開封した後に、蓋体の蓋前板に連設した蓋折り返し板の少なくとも一部をカートン本体の前板の上縁部に貼り合わせた状態で残すことによって、カートン本体の開口部の前板の上縁部の補強ができる蓋付きカートンを得ることができる。
【０００８】
また、請求項２に記載の発明は、請求項１に記載の蓋付きカートンにおいて、前記折れ線を切り取り可能な折れ線とし、開封時に、前記蓋折り返し板を前記前板に貼り合わせた状態で残して、前記蓋前板を前記蓋折り返し板から引き離すことが可能な形状としたことを特徴とするものである。
【０００９】
このような構成にすることにより、蓋前板を蓋折り返し板から引き離すことができ、かつ、開封した後に、蓋折り返し板をカートン本体の前板の上縁部に貼り合わせた状態で残すことによって、カートン本体の開口部の前板の上縁部の補強ができる蓋付きカートンを得ることできる。
【００１０】
また、請求項３および４に記載の発明は、前記折り返し板に前記折れ線と平行に切断線を設け、前記蓋前板の裏面側に折り返した前記蓋折り返し板の前記切断線より内側部分を前記蓋前板の裏面に貼り合わせ、前記蓋折り返し板の前記切断線より外側部分を前記カートン本体の前記前板の上縁部に貼り合わせ、開封時に、前記外側部分を前記前板に貼り合わせた状態で残して、前記蓋折り返し板の前記内側部分を前記切断線により前記外側部分から引き離すことが可能な形状としたことを特徴とし、また、前記切断線の中央部分を罫線部とし、該罫線部の両側の部分の切れ目部とし、前記罫線部から内側（蓋前板側）に切れ線により係止片を設けたことを特徴とするものである。
【００１１】
このような構成にすることにより、蓋折り返し板を切断線により内側部分と外側部分とに引き離すことにより、カートン本体から蓋体を開封することができ、かつ、開封した後に、蓋折り返し板の一部をカートン本体の前板の上縁部に貼り合わせた状態で残すことによって、カートン本体の開口部の前板の上縁部の補強ができ、さらに、切断線から内側に設けた係止片により再封が可能な蓋付きカートンを得ることできる。
【００１２】
また、請求項５に記載の発明は、請求項１に記載の蓋付きカートンにおいて、前記折れ線の中央部を切れ目部とし、前記折り返し板に前記折れ線と平行に切断線を設け、該切断線の中央部分を罫線部とし、該罫線部の両側の部分を切れ目部とし、それぞれの切れ目部の内側の端部から斜め内側方向に前記罫線部分と分岐して斜め切断線を前記折れ線まで延設し、前記折れ線の前記切れ目部の両端と繋げており、前記蓋前板の裏面側に折り返した前記蓋折り返し板の前記切断線より外側部分を前記カートン本体の前記前板の上縁部に貼り合わせ、開封時に、前記前記蓋折り返し板の前記切断線および前記斜め切断線より外側部分を前記前板に貼り合わせた状態で残して、前記蓋折り返し板の前記切断線および前記斜め切断線より内側部分を前記外側部分から引き離すことが可能な形状としたことを特徴とするものである。
【００１３】
このような構成にすることにより、蓋折り返し板を切断線および斜め切断線により引き離すことにより、カートン本体から蓋体を容易に開封することができ、かつ、開封した後に、蓋折り返し板の一部をカートン本体の前板の上縁部に貼り合わせた状態で残すことによって、カートン本体の開口部の前板の上縁部の補強ができ、さらに、切断線と斜め切断線により切断された蓋折り返し板の両側の部分が係止片となり再封が可能な蓋付きカートンを得ることできる。
【００１４】
また、請求項６に記載の発明は、請求項１乃至５に記載の蓋付きカートンにおいて、前記蓋後板にヒンジ用折れ線を介して連結板を連接し、該連接板を前記カートン本体の後板の上縁部に貼り合わせることによりカートン本体と蓋体とを連結し一体とし、前記ヒンジ用折れ線をヒンジとして開閉自在としたことを特徴とするものである。
【００１５】
このような構成にすることにより、カートン本体の後板の上辺に蓋天板を連結することができ、このヒンジ用折れ線をヒンジとして蓋体の開閉を自在を行なうことできる蓋付きカートンを得ることできる。
【００１６】
【発明の実施の形態】
以下に、図面を参照にしながら、本発明の蓋付きカートンの実施の形態について、さらに詳しく説明する。なお、説明を簡単にするため、各図の対応する部位には同じ符号を付している。
【００１７】
まず、本発明の蓋付きカートンの第一の実施の形態について実施例をあげて説明する。図１は、本発明の蓋付きカートンの第一の実施の形態の一実施例を示す斜視図である。この蓋付きカートンＡは、カートン本体１０Ａと、蓋体２０Ａとから構成されている。図１−ａは、蓋付きカートンＡを前方から見た斜視図であり、図１−ｂは、蓋付きカートンＡを後方から見た斜視図である。カートン本体１０Ａは、前板１１、側板１２、後板１３、側板１４、および底板１６（図示されない）を備えており、上方に開口を有している。また、このカートン本体１０Ａの開口部を閉じるために、蓋体２０Ａがカートン本体１０Ａに連結板２７で連結されている。
【００１８】
蓋体２０Ａは、開封前には、カートン本体１０Ａの開口部上方に位置する蓋天板２５と、カートン本体１０Ａの前板１１の上縁部を覆う蓋前板２１と、蓋前板２１に連設され蓋前板２１の裏面側に折り返されてカートン本体１０Ａの前板１１の上縁部に貼り合わせられる蓋折り返し板２６（図２で示される）と、側板１２、１４の上縁部を覆う蓋側板２２、２４と、後板１３の上縁部を覆う蓋後板２３と、蓋後板２３に連設されカートン本体１０Ａの後板１３の上縁部に貼り付けられる連結板２７とを有している。従って、開封前の段階では、蓋体２０Ａの蓋折り返し板２６がカートン本体１０Ａの前板１１の上縁部に、蓋体２０Ａの連結板２７がカートン本体１０Ａの後板１３の上縁部に貼りあわされて、カートン本体１０Ａと蓋体２０Ａとが連結されて一体となっている。また、開封時には、図２に示すように、蓋折り返し板２６と蓋前板２１とが折れ線ｑで切り離され、蓋折り返し板２６がカートン本体１０Ａの前板１１の上縁部に貼り合わされた状態となっている。そして、蓋後板２３と連結板２７の間の折れ線ｒをヒンジとして蓋体２０Ａを開閉することができる。
【００１９】
図３は、蓋付きカートンＡを構成するカートン本体１０Ａと蓋体２０Ａの連結前のそれぞれの斜視図である。カートン本体１０Ａは、図３−ａに示すように、前板１１、側板１２、後板１３、側板１４、および底板１５からなり、上方に開口を有している。開口部を形成する前板１１、側板１２、後板１３、側板１４の上縁部を補強するために、それぞれの上辺に前板補強片１１ａ、側板補強片１２ａ、後板補強片１３ａ、側板補強片１４ａを連設し、それらの補強片をそれぞれの裏面側に折り返して貼り合わせて上縁部を二重にして補強している。
【００２０】
蓋体２０Ａは、図３−ｂに示すように、蓋天板２５を中心として、蓋体２０Ａを閉じた際に、前板１１、側板１２、後板１３、側板１４の上縁部をそれぞれ覆う蓋前板２１、蓋側板２２、蓋後板２３、蓋側板２４が設けられている。また、蓋前板２１には、折れ線ｑで連設され蓋前板２１の裏面側に折り返し板２６が折り返され、蓋後板２３には、折れ線ｒで連結板２７が連設されている。そして、蓋体２０Ａが開封可能にカートン本体１０Ａに連結されるが、前板１１の上縁部に貼り合わされる部分は蓋体２０Ａの蓋折り返し板２６の部分であり、後板１３の上縁部に貼り合わされる部分は蓋体２０Ａの連結板２７の部分であり、これらの部分が接着剤等によりカートン本体１０Ａに貼り合わされる。
【００２１】
図４は、図１に示す蓋付きカートンＡを構成するカートン本体１０Ａのブランクの展開図である。カートン本体１０Ａのブランク１０Ａａは、糊代片１９、前板１１、側板１２、後板１３、側板１４を折れ線ａ、ｂ、ｃ、ｄを介して順次連設している。図４において示す一点鎖線は折れ線を示している。前板１１では、下辺に折れ線ｅを介して底板１５を連設し、上辺に折れ線ｉを介して前板補強片１１ａを連設し、側板１２では、下辺に折れ線ｆを介して底折込み片１６を連設し、上辺に折れ線ｊを介して側板補強片１２ａを連設し、後板１３では、下辺に折れ線ｇを介して底下板１７を連設し、上辺に折れ線ｋを介して後板補強片１３ａを連設し、側板１４では、下辺に折れ線ｈを介して底折込み片１８を連設し、上辺に折れ線ｌを介して側板補強片１４ａを連設している。
【００２２】
図５は、図１に示す蓋付きカートンＡを構成する蓋体２０Ａのブランクの展開図である。蓋体２０Ａのブランク２０Ａａは、矩形の蓋天板２５を中心に四辺に折れ線ｍ、ｎ、ｏ、ｐを介して蓋前板２１、蓋側板２２、蓋後板２３、蓋側板２３を連設している。
【００２３】
蓋前板２１の下辺には、折れ線ｑを介して蓋折り返し板２６を連設し、両側辺には、折れ線ｓ、ｓを介して蓋折込み片２８、２８を連設している。この折れ線ｑは、開閉の際に、蓋折り返し板２６と蓋前板２１とを切り離しやすくするために、本実施例では、一般的な罫線ではなくＬ字形の不連続な切れ目を入れた形状としているが、他にも、Ｉ字形、Ｙ字形の不連続な切れ目、半切れなどとすることもできる。また、折れ線ｑの中央部には、蓋折り返し板２６側に突出して切れ線ｑ１を入れることにより、突起部Ｑを設けている。この突起部Ｑを設けることにより、突起部Ｑを摘んで切れ線ｑ１の両側方向の切れ目を入れた折れ線ｑを引き裂いて、カートン本体１０Ａの前板１１の上縁部に貼り合わされた蓋折り返し板２６から蓋前板２１を引き離しやすくすることができる。
【００２４】
蓋後板２３の上辺には、折れ線ｒを介して連結板２７を連設し、両側辺には、折れ線ｔ、ｔを介して蓋折込み片２９、２９を連設している。この折れ線ｒはヒンジとして設けられるが、より折り曲げが容易なように、例えば、少なくとも部分的にミシン目または半切れで設けてもよい。
【００２５】
蓋折込み片２８、２８は、折れ線ｓ、ｓで折り曲げ、蓋体２０Ａを組み立てた際、それぞれ蓋側板２２、２４の裏側に接着され、蓋折込み片２９、２９も、組み立てられた際、同様にそれぞれ蓋側板２２、２４の内側に接着される。
【００２６】
つぎに、上記のカートン本体１０Ａのブランク１０Ａａと蓋体２０Ａのブランク２０Ａａから本発明の蓋付きカートンＡを組み立てる方法を説明する。
【００２７】
最初に、カートン本体１０Ａを組み立てるが、まず、ブランク１０Ａａにおいて、図６−ａに示すように、前板補強片１１ａ、側板補強片１２ａ、後板補強片１３ａ、側板補強片１４ａをそれぞれ折れ線ｉ、ｊ、ｋ、ｌで内側に折り曲げて、それぞれ前板１１、側板１２、後板１３、側板１４の裏面の上縁部に貼り合わせる。つぎに、図６−ｂに示すように、前板１１、側板１２、後板１３、側板１４をそれぞれ折れ線ａ、ｂ、ｃ、ｄで折り曲げて、側板１４と糊代片１９とを貼り合わせて、図６−ｃに示すように、四角柱状にする。さらに、底折り込み片１６、１８を折れ線ｆ、ｈで直角に折り曲げ、そこに底下板１７を折り曲げて、そして、底板１５を折り曲げて、底下板１７と底板１５を貼り合わせることにより、図３−ａに示すような上方を開放した開口部を有する四角柱形状のカートン本体１０Ａを組み立てることができる。
【００２８】
つぎに、蓋体２０Ａを組み立てるが、まず、ブランク２０Ａａにおいて、図７−ａに示すように、蓋前板２１を折れ線ｍで内側に直角に折り曲げ、図７−ｂに示すように、蓋折り込み片２８、２８を折れ線ｓ、ｓでそれぞれ内側に直角に折り曲げる。同様に、蓋後板２３を折れ線ｏで内側に直角に折り曲げ、そして、図７−ｃに示すように、蓋折り込み片２９、２９を折れ線ｔ、ｔでそれぞれ内側に直角に折り曲げる。ついで、蓋側板２２、２４を折れ線ｎ、ｐで内側に直角に折り曲げ、それぞれ蓋折り込み片２８、２９と貼り合わせる。さらに、蓋折り返し板２６を折れ線ｑで蓋前板２１の裏面に折り返し、図３−ｂに示すような下方に開放した偏平な直方体状の蓋体２０Ａを組み立てることができる。この時、蓋折り返し板２６の両端に小係止片、蓋折り込み片２８、２８に切り欠け部を設けることにより、蓋折り返し板２６の両端の小係止片を蓋折り込み片２８、２８の切り欠け部にロックさせることができ、蓋折り返し板２６が係止される。
【００２９】
このようにして組み立てたカートン本体１０Ａに内容物を収納した後、カートン本体１０Ａの開口部に組み立てた蓋体２０Ａを被せるようにして、蓋体２０Ａの蓋折り返し板２６をカートン本体１０Ａの前板１１の上縁部に、蓋体２０Ａの連結板２７をカートン本体１０Ａの後板１３の上縁部に貼りあわせて、カートン本体１０Ａと蓋体２０Ａとを連結して、図１に示すようなカートン本体１０Ａと蓋体２０Ａとが一体となった本発明の蓋付きカートンＡを組み立てることができる。
【００３０】
実際に、本発明の蓋付きカートンＡを開封する時には、図８に示すように、蓋体２０Ａの蓋前板２１の下辺に切れ線ｑ１により突出して設けられている突起部Ｑを摘み、蓋前板２１をカートン本体１０Ａの前板１１の上縁部に貼り合わされた蓋折り返し板２６から折れ線ｑに設けた切れ目部ｑ１で両側方向に引き裂くようにして引き離すことにより図２に示すように、開封することができる。そして、蓋折り返し板２６はカートン本体１０Ａの前板１１の上縁部に貼り合わされた状態であり、カートン本体１０Ａの開口部の前板１１の上縁部を強化することができる。また、蓋体２０Ａを開ける際、蓋後板２３と連結板２７の間の折れ線ｒをヒンジとして蓋体２０Ａが回転し、開閉可能となっている。
【００３１】
つぎに、本発明の蓋付きカートンの第二の実施の形態について、実施例をあげて説明する。本発明の蓋付きカートンの第二の実施の形態の一実施例である蓋付きカートンＢは、バージン性およびカートン本体の前板の上縁部を強化するという第一の発明と同様の機能に加えて再封性を有していることが特徴であり、外観的には、カートン本体１０Ｂと、蓋体２０Ｂとから構成されており、図１に示している第一の実施の形態の一実施例である蓋付きカートンＡと同様である。
【００３２】
図９は、蓋付きカートンＢの開封した状態を示す斜視図であり、カートン本体１０Ｂと蓋体２０Ｂとが、蓋折り返し板２６に設けられた切断線ｕによって切り離される。そして、カートン本体１０Ｂに残された蓋折り返し板２６の外側部分２６ｂの中央部から突出する係止片Ｕにより、蓋体２０Ｂをカートン本体１０Ｂに被せた時に、確実に閉止され再封が可能となる。また、蓋後板２３と連結板２７の間の折れ線ｒをヒンジとして蓋体２０Ｂを開閉することができる。
【００３３】
蓋付きカートンＢを連結前のカートン本体１０Ｂと蓋体２０Ｂとに分けると、カートン本体１０Ｂは、第一の実施の形態の一実施例である蓋付きカートンＡのカートン本体１０Ａと同様であるが、蓋体２０Ｂは、第一の実施の形態の一実施例である蓋付きカートンＡの蓋体２０Ａと異なり、図１０−ａに示すように、蓋前板２１には、折れ線ｑで連設された折り返し板２６が蓋前板２１の裏側に折り返され、図１０−ｂに示すように、切断線ｕより内側の内側部分２６ａ（斜線領域）が、蓋前板１の裏面に貼り合わされる。そして、前板１１の上縁部に貼り合わされる部分は、蓋体２０Ｂの蓋折り返し板２６に設けられた切断線ｕより外側の外側部分２６ｂであり、後板１３の上縁部に貼り合わされる部分は、蓋体２０Ｂの蓋後板２３に連設された連結板２７の部分であり、これらの部分が接着剤等によりカートン本体１０Ｂに貼り合わされてカートン本体１０Ｂと蓋体２０Ｂとが連結されている。
【００３４】
図９に示す蓋付きカートンＢを構成するカートン本体１０Ｂのブランク１０Ｂａの展開図は、図４に示す第一の実施の形態の一実施例である蓋付きカートンＡのカートン本体１０Ａのブランク１０Ａａと同様であるが、蓋体２０Ｂのブランク２０Ｂａの展開図は、蓋体２０Ａのブランク２０Ａａとは異なっている。
【００３５】
図１１は、図９に示す蓋付きカートンＢを構成する蓋体２０Ｂのブランクの展開図である。蓋体２０Ｂのブランク２０Ｂａは、矩形の蓋天板２５を中心に四辺に折れ線ｍ、ｎ、ｏ、ｐを介して蓋前板２１、蓋側板２２、蓋後板２３、蓋側板２３を連設し、蓋前板２１の下辺には、折れ線ｑを介して蓋折り返し板２６を連設し、その蓋折り返し板２６の略中央部には、折れ線ｑに平行に切断線ｕを設け、その切断線ｕは中央部分の罫線部ｕ１とその両側の部分の切れ目部ｕ２、ｕ２とからなり、罫線部ｕ１からは内側（蓋前板２１側）に切れ線ｕ３により係止片Ｕが設けられている。この蓋折り返し板２６の外側部分２６ｂはカートン本体１０Ｂの前板１１の上縁部に貼り合わされ、係止片Ｕを除く内側部分２６ａは蓋前板２１の上縁部の裏面に貼り合わされる。
【００３６】
この切断線ｕの切れ目部ｕ２は、開封時に、蓋折り返し板２６の内側部分２６ａと外側部分２６ｂとを切り離しやすくするために、本実施例では、Ｉ字形の不連続な切れ目を入れた形状としているが、他にも、Ｌ字形、Ｙ字形の不連続な切れ目、半切れなどとすることもできる。
【００３７】
また、蓋後板２３の上辺には、折れ線ｒを介して連結板２７を連設し、両側辺には、折れ線ｔ、ｔを介して蓋折込み片２９、２９を連設している。この折れ線ｒはヒンジとして設けられるが、より折り曲げが容易なように、例えば、少なくとも部分的にミシン目または半切れを施した折れ線としてもよい。
【００３８】
また、蓋折込み片２８、２８は、折れ線ｓ、ｓで折り曲げ、蓋体２０Ｂを組み立てた際、それぞれ蓋側板２２、２４の裏側に接着され、蓋折込み片２９、２９も、組み立てられた際、同様にそれぞれ蓋側板２２、２４の内側に接着される。
【００３９】
つぎに、上記のカートン本体１０Ｂのブランク１０Ｂａと蓋体２０Ｂのブランク２０Ｂａから本発明の蓋付きカートンＢを組み立てる方法は、ほぼ第一の実施の形態の蓋付きカートンＡの場合と同様に、カートン本体１０Ｂを組み立て、蓋体２０Ｂを組み立てるが、蓋体２０Ｂの組み立てにおいて、蓋折り返し板２６を折れ線ｑで蓋前板２１の裏面側に折り返し、その蓋折り返し板２６の切断線ｕにより分けられた係止片Ｕの部分を除いた内側部分２６ａを蓋前板２１の裏面に貼り合わせる。そして、蓋折り込み片２８、２８を折れ線ｓ、ｓでそれぞれ内側に直角に折り曲げる。ついで、同様に、蓋後板２３を折れ線ｏで内側に直角に折り曲げ、蓋折り込み片２９、２９を折れ線ｔ、ｔでそれぞれ内側に直角に折り曲げ、蓋側板２２、２４を折れ線ｎ、ｐで内側に直角に折り曲げ、それぞれ蓋折り込み片２８、２９と貼り合わせることにより、下方に開放した偏平な直方体状の蓋体２０Ｂを組み立てることができる。
【００４０】
このようにして組み立てたカートン本体１０Ｂに内容物を収納した後、カートン本体１０Ｂの開口部に組み立てた蓋体２０Ｂを被せるようにして、蓋体２０Ｂの蓋折り返し板２６の外側部分２６ｂをカートン本体１０Ａの前板１１の上縁部に、蓋体２０Ｂの連結板２７をカートン本体１０Ｂの後板１３の上縁部に貼りあわせて、カートン本体１０Ｂと蓋体２０Ｂとを連結して、図９に示すようなカートン本体１０Ｂと蓋体２０Ｂとが一体となった本発明の蓋付きカートンＢを組み立てることができる。
【００４１】
実際に、本発明の蓋付きカートンＢを開封する時には、蓋体２０Ｂの蓋前板２１を上方に引き上げることにより、蓋折り返し板２６がカートン本体１０Ｂの前板１１に貼り合わされた外側部分２６ｂと蓋体２０Ｂの蓋前板２１の裏面に貼り合わされた内側部分２６ａとが切断線ｕで引き離され開封することができる。そして、蓋折り返し板２６の外側部分２６ｂはカートン本体１０Ｂの前板１１の上縁部に貼り合わされた状態であり、カートン本体１０Ｂの開口部の前板１１の上縁部を強化することができる。そして、カートン本体１０Ｂに残された蓋折り返し板２６の外側部分２６ｂの中央部から突出する係止片Ｕにより、蓋体２０Ｂをカートン本体１０Ｂに被せた時に、確実に蓋体２０Ｂが閉止され再封が可能となる。また、蓋体２０Ｂを開ける際、蓋後板２３と連結板２７の間の折れ線ｒをヒンジとして蓋体２０Ｂが回転し、開閉可能となっている。
【００４２】
つぎに、本発明の蓋付きカートンの第三の実施の形態について、実施例をあげて説明する。本発明の第三の実施の形態の一実施例である蓋付きカートンＣは、第二の実施の形態の一実施例である蓋付きカートンＢと同様に、バージン性、カートン本体の前板の上縁部を強化するという機能および再封性を有していることに加えて開封が容易であるという特徴があり、外観的には、図１に示している第一の実施の形態の一実施例である蓋付きカートンＡと同様である。
【００４３】
図１２は、蓋付きカートンＣの開封した状態を示す斜視図であり、蓋折り返し板２６が蓋前板２１から、折れ線ｑと切断線ｗと斜め切断線ｖ（以上は図１３、１４に示す）によって切り離される。そして、蓋前板２１の両側部に突出した係止片Ｖ、Ｖにより、蓋体２０Ｃをカートン本体１０Ｃに被せた時に、確実に閉止され再封が可能となる。また、蓋後板２３と連結板２７の間の折れ線ｒをヒンジとして蓋体２０Ｃを開閉することができる。
【００４４】
蓋付きカートンＣを連結前のカートン本体１０Ｃと蓋体２０Ｃとに分けると、カートン本体１０Ｃは、第一の実施の形態の一実施例である蓋付きカートンＡのカートン本体１０Ａと同様であるが、蓋体２０Ｃは、第一の実施の形態の一実施例である蓋付きカートンＡの蓋体２０Ａと異なり、図１３−ａ、ｂに示すように、蓋前板２１には、折り返し板２６が折れ線ｑで連設され、蓋前板２１の裏面側に折り返され、蓋後板２３には、折れ線ｒで連結板２７が連設されている。そして、蓋体２０Ｃが開封可能にカートン本体１０Ｃに連結されるが、前板１１の上縁部に貼り合わされる部分は、蓋体２０Ｃの蓋前板２１の裏面側に折り返された蓋折り返し板２６の切断線ｗより外側の外側部分２６ｂ（図１３で示す斜線領域）であり、後板１３の上縁部に貼り合わされる部分は、蓋体２０Ｃの連結板２７の部分であり、これらの部分が接着剤等によりカートン本体１０Ｃの前板１１および後板１３の上部に貼り合わされてカートン本体１０Ｂと蓋体２０Ｂとが連結されている。
【００４５】
図１２に示す蓋付きカートンＣを構成するカートン本体１０Ｃのブランク１０Ｃａの展開図は、図４に示す第一の実施の形態の一実施例である蓋付きカートンＡのカートン本体１０Ａのブランク１０Ａａと同様であるが、蓋体２０Ｃのブランク２０Ｃａの展開図は、蓋体２０Ａのブランク２０Ａａ、蓋体２０Ｂのブランク２０Ｂａとは異なっている。
【００４６】
図１４は、図１２に示す蓋付きカートンＣを構成する蓋体２０Ｃのブランク２０Ｃａの展開図である。蓋体２０Ｃのブランク２０Ｃａは、矩形の蓋天板２５を中心に四辺に折れ線ｍ、ｎ、ｏ、ｐを介して蓋前板２１、蓋側板２２、蓋後板２３、蓋側板２３を連設し、蓋前板２１の下辺には、折れ線ｑを介して蓋折り返し板２６を連設し、その折れ線ｑの中央部には切れ目部ｑ１を設けている。そして、その切れ目部ｑ１には、折り返し板２６の外側部分２６ｂ側に切れ線による突起部Ｑを設けている。また、蓋折り返し板２６には、折れ線ｑに平行に切断線ｗを設け、その切断線ｗは中央部分を罫線部ｗ１とし、その両側の部分を切れ目部ｗ２、ｗ２としており、両側の切れ目部ｗ２、ｗ２の内側の端部からはそれぞれ斜め内側方向に罫線部分ｗ１と分岐して斜め切断線ｖ、ｖを折れ線ｑまで延設し、折れ線ｑの中央部分の切れ目部ｑ１の両端と繋がっている。この蓋折り返し板２６の外側部分２６ｂはカートン本体１０Ｂの前板１１の上縁部に貼り合わされる。この時、折れ線ｑの切れ目部ｑ１の長さは切断線ｗの罫線部ｗ１の長さより短く設定する。
【００４７】
この折れ線ｗの切断部ｗ２と斜め切断線ｖ、ｖは、開封時に、蓋折り返し板２６の外側部分２６ｂと内側部分２６ａとを切り離しやすくするために、本実施例では、一般的な罫線ではなくＩ字形の不連続な切れ目を入れた形状としているが、他にも、Ｌ字形、Ｙ字形の不連続な切れ目、半切れなどとすることもできる。
【００４８】
蓋後板２３の上辺には、折れ線ｒを介して連結板２７を連設し、両側辺には、折れ線ｔ、ｔを介して蓋折込み片２９、２９を連設している。この折れ線ｒはヒンジとして形成されるが、より折り曲げが容易なように、例えば、少なくとも部分的にミシン目または半切れを形成してもよい。
【００４９】
この蓋折込み片２８、２８は、折れ線ｓ、ｓで折り曲げ、蓋体２０Ｃを組み立てた際、それぞれ蓋側板２２、２４の裏側に接着され、蓋折込み片２９、２９も、組み立てられた際、同様にそれぞれ蓋側板２２、２４の内側に接着される。
【００５０】
つぎに、上記のカートン本体１０Ｃのブランク１０Ｃａと蓋体２０Ｃのブランク２０Ｃａから本発明の蓋付きカートンＣを組み立てる方法は、第一の実施の形態の場合と同様に、カートン本体１０Ｃのブランク１０Ｃａから上方を開放した開口部を有する四角柱形状のカートン本体１０Ａを組み立てることができ、蓋体２０Ｃのブランク２０Ｃａから下方に開放した偏平な直方体状の蓋体２０Ｃを組み立てることができる。
【００５１】
このようにして組み立てたカートン本体１０Ｃに内容物を収納した後、カートン本体１０Ｃの開口部に組み立てた蓋体２０Ｃを被せるようにして、蓋体２０Ｃの蓋折り返し板２６の切断線ｗより外側部分２６ｂをカートン本体１０Ａの前板１１の上縁部に、蓋体２０Ｃの連結板２７をカートン本体１０Ｃの後板１３の上縁部に貼りあわせて、カートン本体１０Ｃと蓋体２０Ｃとを連結して、図１２に示すようなカートン本体１０Ｃと蓋体２０Ｃとが一体となった本発明の蓋付きカートンＣを組み立てることができる。
【００５２】
実際に、本発明の蓋付きカートンＣを開封する時には、蓋体２０Ｃの蓋前板２１に突出した突起部Ｑを摘み、上方に引き上げることにより、折れ線ｑの切れ目部ｑ１から両側の斜め切断線ｖ、ｖを引き裂き、そして連続して切断線ｗの切断ｗ２、ｗ２を引き裂くことができ、蓋前板２１がカートン本体１０Ｃの前板１１に貼り合わされた蓋折り返し板２６から引き離され開封することができる。そして、蓋折り返し板２６の外側部分２６ｂはカートン本体１０Ｃの前板１１の上縁部に貼り合わされた状態であり、カートン本体１０Ｃの開口部の前板１１の上縁部を強化することができる。そして、蓋体２０Ｃの蓋前板２１の両側部から突出する係止片Ｖ、Ｖにより、蓋体２０Ｂをカートン本体１０Ｂに被せた時に、確実に閉止され再封が可能となる。また、蓋体２０Ｃを開ける際、蓋後板２３と連結板２７の間の折れ線ｒをヒンジとして蓋体２０Ｃが回転し、開閉可能となっている。
【００５３】
また、本発明においては、上記の実施例に示したように、蓋体が蓋天板、蓋前板、両蓋側板、蓋後板からなり、蓋後板に連結板を連設して、この連結板でカートン本体と連結して一体としているが、図１５のブランク２０Ｄａの展開図に示すように、蓋体が蓋天板、蓋前板、両蓋側板からなり、蓋天板に連結板を連設して、この連結板でカートン本体と連結して一体とする形状とすることもできる。
【００５４】
さらに、蓋体においては、連結板を設けないでカートン本体の後板の上縁部に切り込みにより開封自在の開閉片を設けて蓋体の蓋後板を貼り合わせた形状としてもよく、また、粘着シールなどのような別体の部品によりカートン本体と蓋体とを開閉可能に連結した構成でもよい。
【００５５】
なお、上記の各蓋付きカートンにおいては、内容物の密封性を高めるために、カートン本体の開口部上端にグラシン紙などからなる中蓋をシールした形状とすることもできる。
【００５６】
【発明の効果】
本発明の蓋付きカートンは、粒状物、粉末などを収容し、上方を開放した開口部を有する略直方体状のカートンン本体と、下方を開放した蓋体とを連結して開閉自在とした蓋付きカートンであって、蓋体の蓋前板に連設し、裏側に折り返した蓋折り返し板の少なくとも一部をカートン本体の前板の上縁部に貼り合わせ、カートン本体に蓋体を被せて、開封時に、蓋折り返し板から蓋前板を引き離すか、あるいは、蓋折り返し板において、蓋折り返し板の切断線を切断して引き離すことにより、カートン本体から蓋体を開封することができるような形状とすることによって、バージン性を有し、かつ、開口部の補強ができるという効果を有している。特に、蓋付きカートンにおいて、内容物を収容して手で持った時の変形を少なくするためには、カートン本体の前板を補強することが効果的であり、その点から、本発明の蓋付きカートンでは材料の板紙の坪量を高くすることなく、カートン本体の前板を補強することができるという効果を有するものである。
【図面の簡単な説明】
【図１】本発明の蓋付きカートンの第一の発明の一実施例を示す斜視図である。
【図２】本発明の蓋付きカートンの第一の実施の形態の一実施例を開封した状態を示す斜視図である。
【図３】本発明の蓋付きカートンの第一の実施の形態の一実施例の連結前のカートン本体と蓋体を示す斜視図である。
【図４】本発明の蓋付きカートンの第一の実施の形態の一実施例のカートン本体のブランクを示す展開図である。
【図５】本発明の蓋付きカートンの第一の実施の形態の一実施例の蓋体のブランクを示す展開図である。
【図６】本発明の蓋付きカートンの第一の実施の形態の一実施例のカートン本体の組み立てを説明する斜視図である。
【図７】本発明の蓋付きカートンの第一の実施の形態の一実施例の蓋体の組み立てを説明する斜視図である。
【図８】本発明の蓋付きカートンの第一の実施の形態の一実施例を開封する状態を示す斜視図である。
【図９】本発明の蓋付きカートンの第二の実施の形態の一実施例を開封した状態を示す斜視図である。
【図１０】本発明の蓋付きカートンの第二の実施の形態の一実施例の連結前の蓋体を示す斜視図である。
【図１１】本発明の蓋付きカートンの第二の実施の形態の一実施例の蓋体のブランクを示す展開図である。
【図１２】本発明の蓋付きカートンの第三の実施の形態の一実施例を開封した状態を示す斜視図である。
【図１３】本発明の蓋付きカートンの第三の実施の形態の一実施例の連結前の蓋体を示す斜視図である。
【図１４】本発明の蓋付きカートンの第三の実施の形態の一実施例の蓋体のブランクを示す展開図である。
【図１５】本発明の蓋付きカートンのさらに別の実施例の蓋体のブランクを示す展開図である。
【図１６】従来の蓋付きカートンの一例を示す斜視図である。
【符号の説明】
Ａ      蓋付きカートン（第一の実施の形態）
Ｂ      蓋付きカートン（第二の実施の形態）
Ｃ      蓋付きカートン（第三の実施の形態）
１０Ａ    カートン本体（第一の実施の形態）
１０Ｂ    カートン本体（第二の実施の形態）
１０Ｃ    カートン本体（第三の実施の形態）
１０Ａａ  ブランク（カートン本体１０Ａの）
１０Ｂ    ブランク（カートン本体１０Ｂの）
１０Ｃ    ブランク（カートン本体１０Ｃの）
１１      前板
１１ａ    前板補強片
１２      側板
１２ａ    側板補強片
１３      後板
１３ａ    後板補強片
１４      側板
１４ａ    側板補強片
１５      底板
１６      折り込み片
１７      底下板
１８      折り込み片
１９      糊代片
２０Ａ    蓋体（第一の実施の形態）
２０Ｂ    蓋体（第二の実施の形態）
２０Ｃ    蓋体（第三の実施の形態）
２０Ａａ  ブランク（蓋体２０Ａの）
２０Ｂａ  ブランク（蓋体２０Ｂの）
２０Ｃａ  ブランク（蓋体２０Ｃの）
２０Ｄａ  ブランク
２１      蓋前板
２２      蓋側板
２３      蓋後板
２４      蓋側板
２５      蓋天板
２６      蓋折り返し板
２７      連結板
２８      蓋折り込み片
２９      蓋折り込み片
ａ〜ｔ    折れ線
ｕ      切断線
ｖ      斜め切断線
ｗ      切断線
Ｕ      係止片
Ｖ      係止片
【図１】
2004250053.tif 000003
【図２】
2004250053.tif 000004
【図３】
2004250053.tif 000005
【図４】
2004250053.tif 000006
【図５】
2004250053.tif 000007
【図６】
2004250053.tif 000008
【図７】
2004250053.tif 000009
【図８】
2004250053.tif 000010
【図９】
2004250053.tif 000011
【図１０】
2004250053.tif 000012
【図１１】
2004250053.tif 000013
【図１２】
2004250053.tif 000014
【図１３】
2004250053.tif 000015
【図１４】
2004250053.tif 000016
【図１５】
2004250053.tif 000017
【図１６】
2004250053.tif 000018